(57)【要約】【課題】圧縮成形体のスリット状開口部を容易に閉じることができるウエザーストリップを提供する。【解決手段】二つの押出成形品１０、２０の端末部同士が圧縮成形体４０によって一体連続状に連結され、圧縮成形体４０の中空シール部４３の周壁部のうち、一側壁部４６に中空シール部４３の内周壁面を形成する中子型を脱型するためのスリット状開口部４７が形成される。スリット状開口部４７は、打込工具８０によって打ち込まれる連結ピン７０によって閉じられ、連結ピン７０は、スリット状開口部４７に跨る連結柱部７１と、この連結柱部７１の両端に直交する方向に形成されてスリット状開口部４７の両側部近傍の外側面にそれぞれ係止される係止部７２、７３を有している。【選択図】図２
2012116338.tif 000002
【特許請求の範囲】
【請求項１】
押出成形によって長尺に形成され、かつ長手方向に沿って中空シール部を有する少なくとも二つの押出成形品の端末部同士が圧縮成形体によって一体連続状に連結され、前記圧縮成形体には、前記押出成形品の中空シール部を連通する中空シール部が圧縮成形と同時に形成され、前記圧縮成形体の中空シール部の周壁部のうち、一側壁部に中空シール部の内周壁面を形成する中子型を脱型するためのスリット状開口部が形成されたウエザーストリップであって、
前記圧縮成形体の中空シール部のスリット状開口部は、打込工具によって打ち込まれる連結ピンによって閉じられ、
前記連結ピンは、前記スリット状開口部に跨る連結柱部と、この連結柱部の両端に直交する方向に形成されて前記一側壁部の前記スリット状開口部の両側部近傍の外側面にそれぞれ係止される係止部を有していることを特徴とするウエザーストリップ。
【請求項２】
請求項１に記載のウエザーストリップであって、
圧縮成形体の中空シール部の一側壁部には、連結ピンの係止部を収納する収納凹部が形成されていることを特徴とするウエザーストリップ。
【請求項３】
請求項２に記載のウエザーストリップであって、
収納凹部の壁部の一部には、打込工具の先端部の挿入を容易化するために除去部が形成されていることを特徴とするウエザーストリップ。
【発明の詳細な説明】
【技術分野】
【０００１】
この発明はウエザーストリップに関する。
【背景技術】
【０００２】
従来、例えば、車両のドア（フロントドア、リヤドア、バックドア、トランクリッド等）の周囲に装着されるウエザーストリップにおいて、コーナ部や断面形状の変化部に対応するため、少なくとも二つの押出成形品と、これら押出成形品を一体連続状に連結する圧縮成形体（コンプレッション成形、トランスファー成形等の圧縮成形によって形成される）によって構成されるものが知られている。
このようなウエザーストリップにおいて、図１３〜図１５に示すように、少なくとも二つの押出成形品２１０、２２０の長手方向に沿って中空シール部２１３、２２３がそれぞれ形成され、これら中空シール部２１３、２２３を連通する中空シール部２４３が圧縮成形体２４０に形成される場合、圧縮成形体２４０の中空シール部２４３の周壁部のうち、一側壁部２４６に中空シール部２４３の内周壁面を形成する中子型を脱型するためのスリット状開口部２４７が形成される。
そして、圧縮成形体２４０の中空シール部２４３のスリット状開口部２４７が過大に開くことがないように、スリット状開口部２４７の一部（例えば、長手方向中央部）が接着剤２７０によって接着されて閉じられるようになっている。
なお、長手方向に沿って中空シール部を有するウエザーストリップにおいて、そのコーナ部の中空部に軟質ゴムよりなる挿入体をインサートピンによって固定するものとしては、例えば特許文献１に開示されている。
【先行技術文献】
【特許文献】
【０００３】
【特許文献１】特許第３１０７２０４号公報
【発明の概要】
【発明が解決しようとする課題】
【０００４】
ところで、前記した従来のウエザーストリップにおいては、図１５に示すように、圧縮成形体２４０のスリット状開口部２４７の対向壁面のうち、少なくとも一方の壁面に接着剤２７０を塗布し、その後、図１３と図１４に示すように、スリット状開口部２４７の両対向壁面を突合せ、この突合せ状態を保って接着剤２７０を硬化させて接着しなければならず、多くの手間と時間を必要としている。
【０００５】
この発明の目的は、前記問題点に鑑み、圧縮成形体のスリット状開口部を容易に閉じることができるウエザーストリップを提供することである。
【課題を解決するための手段】
【０００６】
前記課題を解決するために、この発明の請求項１に係るウエザーストリップは、押出成形によって長尺に形成され、かつ長手方向に沿って中空シール部を有する少なくとも二つの押出成形品の端末部同士が圧縮成形体によって一体連続状に連結され、前記圧縮成形体には、前記押出成形品の中空シール部を連通する中空シール部が圧縮成形と同時に形成され、前記圧縮成形体の中空シール部の周壁部のうち、一側壁部に中空シール部の内周壁面を形成する中子型を脱型するためのスリット状開口部が形成されたウエザーストリップであって、
前記圧縮成形体の中空シール部のスリット状開口部は、打込工具によって打ち込まれる連結ピンによって閉じられ、
前記連結ピンは、前記スリット状開口部に跨る連結柱部と、この連結柱部の両端に直交する方向に形成されて前記一側壁部の前記スリット状開口部の両側部近傍の外側面にそれぞれ係止される係止部を有していることを特徴とする。
【０００７】
前記構成によると、圧縮成形体の中空シール部のスリット状開口部を、打込工具によって打ち込まれる連結ピンによって容易に閉じることができ、コスト低減に効果が大きい。
【０００８】
請求項２に係るウエザーストリップは、請求項１に記載のウエザーストリップであって、
圧縮成形体の中空シール部の一側壁部には、連結ピンの係止部を収納する収納凹部が形成されていることを特徴とする。
【０００９】
前記構成によると、圧縮成形体の収納凹部に連結ピンの係止部が収納されることで、連結ピンの係止部に、異物（作業者の衣服、作業手袋、その他物品等）が引っ掛かることを防止することができる。
【００１０】
請求項３に係るウエザーストリップは、請求項２に記載のウエザーストリップであって、
収納凹部の壁部の一部には、打込工具の先端部の挿入を容易化するために除去部が形成されていることを特徴とする。
【００１１】
前記構成によると、収納凹部の壁部の除去部によって、打込工具による連結ピンの打ち込み作業がより一層容易となる。
【図面の簡単な説明】
【００１２】
【図１】この発明の実施例１に係るウエザーストリップ全体を簡略化して示す説明図である。
【図２】同じく第１の押出成形品と第２の押出成形品とが第１の圧縮成形体によって連結された状態を示す斜視図である。
【図３】同じく図２のＩＩＩ−ＩＩＩ線に沿う横断面図である。
【図４】同じく第１の押出成形品と第３の押出成形品とが第２の圧縮成形体によって連結された状態を示す側面図である。
【図５】同じく第２の押出成形品と第３の押出成形品とが第３の圧縮成形体によって連結された状態を示す側面図である。
【図６】同じく第１の圧縮成形体のスリット状開口部が閉じられる前の状態を示す斜視図である。
【図７】同じく図６のＶＩＩ−ＶＩＩ線に沿う横断面図である。
【図８】同じく圧縮成形体のスリット状開口部に対し打込工具によって連結ピンを打ち込む状態を示す説明図である。
【図９】この発明の実施例２に係るウエザーストリップの第１の押出成形品と第２の押出成形品とが第１の圧縮成形体によって連結された状態を示す斜視図である。
【図１０】同じく図９のＸ−Ｘ線に沿う横断面図である。
【図１１】この発明の他の実施例に係るウエザーストリップの第１の押出成形品と第２の押出成形品とが第１の圧縮成形体によって連結された状態を示す斜視図である。
【図１２】同じく図１１のＸＩＩ−ＸＩＩ線に沿う横断面図である。
【図１３】従来のウエザーストリップの第１の押出成形品と第２の押出成形品とが第１の圧縮成形体によって連結された状態を示す斜視図である。
【図１４】同じく図１３のＸＩＶ−ＸＩＶ線に沿う横断面図である。
【図１５】同じく圧縮成形体のスリット状開口部に接着剤が塗布された状態を示す横断面である。
【発明を実施するための形態】
【００１３】
この発明を実施するための形態について実施例にしたがって説明する。
【実施例１】
【００１４】
この発明の実施例１を図１〜図８にしたがって説明する。
図１に示すように、この実施例１に係るウエザーストリップは、車両のフロントドア（図示しない）に用いられる場合を例示するものであり、第１〜第３の押出成形品１０、２０、３０と、第１〜第３の圧縮成形体４０、５０、６０とを備えて構成されている。
図２〜図５に示すように、第１〜第３の押出成形品１０、２０、３０は、軟質の発泡樹脂材、ゴム材等のエラストマー材料の押出成形によって長尺に形成されている。
また、第１〜第３の押出成形品１０、２０、３０は、その長手方向に沿って基部１１、２１、３１と、中空シール部１３、２３、３３と、リップ１５、２５、３５とをそれぞれ一体に有している。
【００１５】
図２、図３及び図６に示すように、第１の圧縮成形体４０は、ウエザーストリップの前側中間部を構成するために、第１の押出成形品１０の端末部と第２の押出成形品２０の端末部とを一体連続状に連結するものであり、加硫ゴム材のコンプレッション成形、トランスファー成形等の圧縮成形によって形成される。
すなわち、圧縮成形の成形型（図示はしないが上型、下型、中子型を備える）内に、第１の押出成形品１０の端末部と第２の押出成形品２０の端末部とがセットされた状態で、成形型内に加硫ゴム材が充填されることによって、第１の圧縮成形体４０が形成され、これと同時に第１、第２の押出成形品１０、２０の端末部同士が第１の圧縮成形体４０を介して一体連続状に接合される。
【００１６】
図６と図７に示すように、第１の圧縮成形体４０には、第１、第２の押出成形品１０、２０の中空シール部１３、２３を連通する中空シール部４３が圧縮成形と同時に形成される。
また、第１の圧縮成形体４０の中空シール部４３の周壁部のうち、一側壁部４６に中空シール部４３の内周壁面を形成する中子型（図示しない）を脱型するためのスリット状開口部４７が第１の圧縮成形体４０の長手方向に沿って形成される。
【００１７】
図２と図３に示すように、第１の圧縮成形体４０の中空シール部４３のスリット状開口部４７は、図８に示す打込工具８０によって打ち込まれる単数又は複数の連結ピン７０によって閉じられる。
連結ピン７０は、スリット状開口部４７に跨る連結柱部７１と、この連結柱部７１の両端に直交する方向に形成されて中空シール部４３の一側壁部４６のスリット状開口部４７の両側部近傍の外側面にそれぞれ係止される係止部７２、７３を有している。
【００１８】
図２と図３に示すように、この実施例１においては、第１の圧縮成形体４０の中空シール部４３の一側壁部４６には、連結ピン７０の両係止部７２、７３をそれぞれ収納する収納凹部４８、４９が形成されている。
【００１９】
図７と図８に示すように、両収納凹部４８、４９のうち、一方の収納凹部４９の一部、例えば収納凹部４９の一側壁には、打込工具８０先端部の外針８１を、スリット状開口部４７を間に挟む両収納凹部４８、４９の対向壁を貫通して差込む作業を容易化するための除去部４９ａが必要に応じて形成される。
また、除去部４９ａは、収納凹部４９の一側内壁面が開口部側に向けてしだいに拡開されたるように形成された傾斜面によって構成されている。
【００２０】
すなわち、図７と図８に示すように、第１の圧縮成形体４０の中空シール部４３のスリット状開口部４７に跨って、打込工具８０によって連結ピン７０を打ち込む際、先ず、図７に示すように、収納凹部４９の一側内壁面の除去部（傾斜面）４９ａ側から打込工具８０の外針８１を挿入しながら、この外針８１を収納凹部４８、４９の対向壁を貫通して差込む。
ここで、打込工具８０のトリガー操作によって、外針８１の中心溝に進退可能に挿入された内針８２を前進させる。
この際、外針８１の中心溝には、連結ピン７０の一方の係止部７２が挿通され、中心溝に案内されて収納凹部４８、４９の対向壁を通過する。そして、内針８２の前進によって、連結ピン７０の一方の係止部７２が外針８１の中心溝から抜け出る位置まで打ち込まれる。ここで、打込工具８０の外針８１を抜き取ることで、図３に示すように、第１の圧縮成形体４０のスリット状開口部４７が連結ピン７０によって閉じられるようになっている。
なお、打込工具８０及び連結ピン７０は、既存（市販品）のものが使用される。
【００２１】
また、図１と図４に示すように、第２の圧縮成形体５０は、ウエザーストリップの後上コーナ部を構成するために、第１の押出成形品１０の後上部の端末部と第３の押出成形品３０の後端末部とを一体連続状に連結する。
さらに、図１と図５に示すように、第３の圧縮成形体６０は、ウエザーストリップの前上コーナ部を構成するために、第２の押出成形品２０の上端末部と第３の押出成形品３０の前端末部とを一体連続状に連結する。
そして、第２、第３の圧縮成形体５０、６０においても、第１の圧縮成形体４０と同様にして加硫ゴム材のコンプレッション成形、トランスファー成形等の圧縮成形によって形成される。
【００２２】
また、第２、第３の圧縮成形体５０、６０の中空シール部５３、６３のスリット状開口部５７、６７においても、第１の圧縮成形体４０と同様にして打込工具８０によって打ち込まれる単数又は複数の連結ピン７０によってそれぞれ閉じられる。
【００２３】
この実施例１に係るウエザーストリップは上述したように構成される。
したがって、第１〜第３の押出成形品１０、２０、３０を一体連続状に連結している第１〜第３の圧縮成形体４０、５０、６０のスリット状開口部４７、５７、６７を、打込工具８０によって打ち込まれる各単数又は複数の連結ピン７０によって閉じることができる。このため、スリット状開口部４７、５７、６７を接着剤によって接着して閉じる場合と比べ、スリット状開口部４７、５７、６７を容易にかつ手早く閉じることができ、コスト低減に効果が大きい。
【００２４】
また、第１の圧縮成形体４０の両収納凹部４８、４９に連結ピン７０の両係止部７２、７３が収納されることで、連結ピン７０の係止部７２、７３に、異物（作業者の衣服、作業手袋、その他物品等）が引っ掛かることを防止することができる。第２、第３の圧縮成形体５０、６０においても同様である。
また、第１の圧縮成形体４０の両収納凹部４８、４９のうち、一方の収納凹部４９の一側内壁面に傾斜面よりなる除去部４９ａが形成されることによって、打込工具８０による連結ピン７０の打ち込み作業がより一層容易となる。
【実施例２】
【００２５】
この発明の実施例２に係るウエザーストリップを図９と図１０にしたがって説明する。
図９と図１０に示すように、この実施例２においては、連結ピン７０の両係止部７２、７３が収納される両収納凹部４８、１４９のうち、一方の収納凹部１４９の一側壁全体が除去されて除去部１４９ａが形成されている。
この実施例２のその他の構成は、実施例１と同様に構成されるため、同一構成部分に対し同一符号を付記してその説明は省略する。
【００２６】
したがって、この実施例２においても実施例１と同様の作用効果を奏すると共に、収納凹部１４９の一側壁全体が除去されて除去部１４９ａが形成されることで、打込工具の外針の差し込み操作をより一層容易に行うことができる。
【００２７】
なお、この発明は前記実施例１及び２に限定するものではなく、この発明の要旨を逸脱しない範囲内において、種々なる形態で実施することもできる。
例えば、前記実施例１及び２においては、第１の圧縮成形体（第２及び第３の圧縮成形体５０、６０も含む）４０の一側壁部４６に、収納凹部４８、４９を形成して連結ピン７０の係止部７２、７３を収納するように構成したが、図１１と図１２に示すように、第１の圧縮成形体（第２及び第３の圧縮成形体５０、６０も含む）４０の中空シール部４３の一側壁部４６にスリット状開口部４７に跨って連結ピン７０を打ち込んでスリット状開口部４７を閉じることも可能である。
また、前記実施例１及び２においては、車両のフロントドアに用いられるウエザーストリップを例示したが、フロントドアの他、リヤドア、バックドア、トランクリッド等でああてもこの発明のウエザーストリップを用いることができる。
また、押出成形によって長尺に形成され、かつ長手方向に沿って中空シール部を有する二つの押出成形品の端末部同士を圧縮成形体の圧縮成形と同時に一体連続状に連結してウエザーストリップを構成してもこの発明を実施することができる。
【符号の説明】
【００２８】
１０  第１の押出成形品（押出成形品）
１３  中空シール部
２０  第２の押出成形品（押出成形品）
２３  中空シール部
４０  第１の圧縮成形体（圧縮成形体）
４３  中空シール部
４６  一側壁部
４７  スリット状開口部
４８、４９  収納凹部
４９ａ  除去部
７０  連結ピン
７１  連結柱部
７２、７３  係止部
８０  打込工具
８１  外針
８２  内針
【図１】
2012116338.tif 000003
【図２】
2012116338.tif 000004
【図３】
2012116338.tif 000005
【図４】
2012116338.tif 000006
【図５】
2012116338.tif 000007
【図６】
2012116338.tif 000008
【図７】
2012116338.tif 000009
【図８】
2012116338.tif 000010
【図９】
2012116338.tif 000011
【図１０】
2012116338.tif 000012
【図１１】
2012116338.tif 000013
【図１２】
2012116338.tif 000014
【図１３】
2012116338.tif 000015
【図１４】
2012116338.tif 000016
【図１５】
2012116338.tif 000017